(57)【要約】      （修正有）【課題】蓋を開閉することなく、内部に添加物を添加させることができる容器を提供する。【解決手段】容器は、凹形の収容空間７を備えた収容部２と、蓋部１と、前記収容空間７に面して配設され、前記収容空間７内に添加されるべき添加物を収容する添加物収容部８とを備えてなる。添加物収容部８には、常温で固化するオイルが蓋をする前に事前に収容されている。蓋をした後、容器を加温すると、オイルは溶融し、収容空間７へ滴下される。本容器によれば、添加の際に蓋の開閉を必要とせず、また容器外部からの塵・微生物等の異物混入も生じることがない。【選択図】図１
0003142125.tif 000002
【実用新案登録請求の範囲】
【請求項１】
凹形の収容空間７を備えた収容部２と、蓋部１と、
前記収容空間７に面して配設され、収容空間７内に添加されるべき添加物を収容する添加物収容部８とを備え、
該添加物収容部８は、収容される添加物を加温によって放出し得るよう構成されてなる容器。
【請求項２】
前記添加物収容部８には、添加物添加前の使用環境温度において固化し、加温状態において溶融する液体が収容されてなる請求項１記載の容器。
【考案の詳細な説明】
【技術分野】
【０００１】
本考案は、容器に関し、特に内容積が微少である容器に好適に適用され、極微量の試料や試薬を取り扱う臨床検査や生化学反応に用いられる容器として有用である。
【背景技術】
【０００２】
生化学的分析や通常の化学分析に使用する小型の反応装置としてのマイクロマルチチャンバ装置が使用されている。そのような装置としては、例えば平板状の基板表面に反応容器としての複数のウエルが形成されたマイクロタイタープレートなどのマイクロウエル反応容器プレートが用いられている（特許文献１参照）。
【０００３】
【特許文献１】特開２００５−１７７７４９号公報
【０００４】
各容器に試料や試薬等を入れる場合、通常はマイクロピペッターを用いて試料分注や試薬添加を行っている。
【考案の開示】
【考案が解決しようとする課題】
【０００５】
しかしながら、上述するような方式で液体添加操作を行う際、容器は開放された状態になっているため、容器内部に外部からの塵や細菌等の異物が混入する虞れがある。また、逆に有害な試料が蒸散し外部の環境を汚染することもある。こうした外部からの異物の混入や、外部への環境汚染を防ぐために、デバイス内部で操作を行うことが望まれている。
【０００６】
また、容器内に注入される試料が気化しやすい性質のものであったり、あるいはマイクロリットルオーダーの極微量である場合など、試料の蒸発の影響が著しく、短時間のうちに注入した試料液等の量が減少したり、濃度が変化したりするという不具合がある。そのため、蒸発防止用のミネラルオイル等を試料液等の上から添加したりすることもあるが、前述したように、容器外部からの異物の混入や、外部への環境汚染が生じるため、デバイス内部で操作を行うことが望まれている。
【０００７】
本考案は、容器蓋を開閉する手間がなく、容器外部からの異物の混入や、外部への環境汚染を防止し、デバイス内部で液体添加操作を行うことができる容器を提供することを目的とする。
【課題を解決するための手段】
【０００８】
本考案に係る容器は、凹形の収容空間７を備えた収容部２と、蓋部１と、前記収容空間７に面して配設され、前記収容空間７内に添加されるべき添加物を収容する添加物収容部８とを備えており、該添加物収容部８は、収容される添加物を加温によって放出し得るよう構成されていることを特徴とする。
以下に本考案にかかる容器の好ましい実施形態について一例を説明する。
【考案を実施するための最良の形態】
【０００９】
図１は本考案に係る容器の一構成例であって、遺伝子増幅処理を行う反応容器を例示している。樹脂基板２は、例えばポリプロピレン製の板材であって、公知のμＴＡＳ技術等によって例えば内径３ｍｍ、深さ１０ｍｍの凹形（円柱型）の収容空間７が形成された収容部を構成している。なお収容空間７の内径および深さはこれに限定されない。ここでは、収容部には試料（ＤＮＡを含んだ水）が例えば１０μＬ程度収容されている。
【００１０】
樹脂基板２の材質は特に限定されるものではないが、液滴収容デバイスを使い捨て可能として用いる場合には、安価に入手可能な素材であることが好ましい。そのような素材としては、例えばポリプロピレン、ポリカーボネートなどの樹脂素材が好ましい。収容空間７内の物質の検出を吸光度、蛍光、化学発光又は生物発光などにより行う場合には、底面側から光学的な検出ができるようにするために光透過性の樹脂で形成されていることが好ましい。特に蛍光検出を行う場合には、ベース基板２の材質として低自蛍光性（それ自身からの蛍光発生が少ない性質のこと）で光透過性の樹脂、例えばポリカーボネートなどの素材で形成されていることが好ましく、厚さも薄い方が好ましい。
【００１１】
樹脂基板１は、例えばポリジメチルシオキサン（ＰＤＭＳ）製の板材であって、収容部２の収容空間７の上部を略閉塞する蓋部を構成している。なお、必須ではないが、ここでは蓋部１に、μＴＡＳ技術等によって例えば幅１ｍｍ、深さ１ｍｍの溝からなる流路３，４と、これに連通する穴５，６を設け、例えば穴５および流路３を用いて、収容空間７に液体試料や試薬等を導入する一方、流路４および穴６を空気抜きや試料排出用の通路として利用することもできる。図３は平面図を示しており、図１は図３のＡ−Ａ‘断面図に相当する。
【００１２】
また、本考案における特徴的構成として、収容空間７の天井位置にあたる蓋部１には、添加物収容部８たる無理抜き凹部が形成されており、ここに添加物が収容されている。ここでいう添加物とは、収容部内の試料に対して、試料の蒸発を防止するためのオイル、ワックス等の試料よりも気化しにくい物質や、試料に対して添加すべき試薬等を指す。添加物（例えばミネラルオイルとワックスとの混合物）は常温あるいは本容器が取り扱われる環境下において固化しており、収容部２に蓋部１を載置するより前に添加物収容部８内に事前に収容されてから蓋がなされる。
【００１３】
このように事前準備された容器を９０℃まで加温した状態を図２に示す。添加物収容部８内の添加物は溶融して液化し、試料に添加される。オイル等が試料液滴を覆い、試料の蒸発や濃縮が防止される。
【００１４】
本考案においては、試料に添加すべき添加物を事前に収容しておける構成としているので、添加時に蓋部を開閉することなく、開閉に伴う操作者の手間や、外部からの異物混入、或いは試料の外部への蒸散等を防止することができる。
【００１５】
（その他の変形例）
上述した実施例においては、収容物は加温時に自己の溶融によって滴下する例を示したが、樹脂基板１を温度上昇によって高い収縮率を有する素材や、形状記憶素材を採用することによって、添加物収容部８の容積減少によって中の添加物を押し出すように構成することもできる。
また、添加物収容部８を蓋部に設けるようにしたが、例えば収容部（樹脂基板２）側の壁面等に設けることもできる。
試料や添加物の収容部を凹部と表現し、図では底面が平らな形状のものを示しているが、これに限らず底面が曲面のものでも勿論構わない。
試料は液体ではなく固体のものであってこれに添加物を液加するものであっても良い。また、試薬を収容部に収容しておいて、試料を添加するものであっても構わない。
【産業上の利用可能性】
【００１６】
本発明に係る容器は、微小量の試料で有機物を合成する有機化学やＰＣＲ(Polymerase Chain Reaction)法などを行う生化学分野で有用に利用される。特に、液体の成分を分析する機能や前処理機能等を集積したマイクロチップにおける反応処理において特に有用である。
【図面の簡単な説明】
【００１７】
【図１】本考案に係る容器の構成例を示す図である。
【図２】本考案に係る容器の加温時の状態を示す図である
【図３】本考案に係る容器の構成例を示す平面図である。
【符号の説明】
【００１８】
１・・・樹脂基板（蓋部）
２・・・樹脂基板（収容部）
３、４・・・流路
５，６・・・穴
７・・・収容空間
８・・・添加物収容部
【図１】
0003142125.tif 000003
【図２】
0003142125.tif 000004
【図３】
0003142125.tif 000005